(57)【要約】【課題】  最初のＳ字位置検出において、Ｌ０層とＬ１層の両方を正しく検出することができるものがなかった。【解決手段】  ステップ１２（ステップ３１）でコリメタレンズ位置をＬ０設定とＬ１設定の中間値に設定することで、ドライバ１１ｄ２によりステッピングモータ１１ｄ１を回転駆動させ、コリメタレンズ位置をＬ０設定とＬ１設定の中間に移動させると、Ｌ０層とＬ１層のいずれにも最適ではないものの、両者から大きくはずれないことによって両方のＳ字検出は失敗しないので、ステップ１３（ステップ３２）でＳ字数検出を実施すると、正確にＳ字位置を検出することができるようになる。【選択図】  図２
2011154755.tif 000002
【特許請求の範囲】
【請求項１】
光ディスク表面に読出光を収束させ、反射光を受光して光電気変換する受光器を備え、コリメタレンズ駆動とフォーカス駆動とが可能な光ピックアップ部と、
上記光ディスクを回転駆動させるスピンドル駆動部と、
上記光ピックアップ部を上記光ディスクの径方向に沿ってトラッキング駆動させるトラッキング駆動部と、
上記光ピックアップ部からの出力信号を信号処理するとともに信号処理部と、
装置全体を制御するコントローラＩＣとを具備する光ディスクドライブ装置であって、
上記光ピックアップ部は、
多層の光ディスクに対応して、それぞれの層に適した位置にコリメタレンズを移動可能なコリメタレンズ部と、
同光ディスクに対応して、それぞれの層に合焦させるように対物レンズを移動可能なフォーカス部とを有し、
コントローラＩＣは、上記信号処理からの出力信号に基づいて、上記光ディスクのＳ字検出後、所定位置に上記対物レンズを駆動し、所定方向に同対物レンズを移動させながらフォーカス位置を探すフォーカスサーチを実行するにあたり、
上記コリメタレンズ部にて、当該光ピックアップ部に適しているＬ０位置とＬ１位置との間に上記コリメタレンズを移動させ、
上記フォーカス部にて、上記対物レンズを上記光ディスクから離れた位置から近接する方向に移動させてＳ字検出することを特徴とする光ディスクドライブ装置。
【請求項２】
上記コントローラＩＣは、上記フォーカスサーチを実行する際、上記コリメタレンズ部にて、上記コリメタレンズをＬ０位置とＬ１位置との略中間に移動させ、
Ｓ字の数を検出して、光ディスクが単層か多層であるかを判別し、Ｓ字の数に応じて光ディスクから離れた位置から近づく方向に同対物レンズを移動させながらＬ０層の位置までフォーカス位置を探すことを特徴とする請求項１に記載の光ディスクドライブ装置。
【請求項３】
上記コントローラＩＣは、上記フォーカスサーチの実行後、上記コリメタレンズ部にて、上記コリメタレンズをＬ０位置に移動させることを特徴とする請求項１または請求項２に記載の光ディスクドライブ装置。
【請求項４】
上記多層の光ディスクは、ブルーレイディスクであることを特徴とする請求項１〜請求項３のいずれかに記載の光ディスクドライブ装置。
【請求項５】
光ディスク表面に読出光を収束させ、反射光を受光して光電気変換する受光器を備え、コリメタレンズ駆動とフォーカス駆動とが可能な光ピックアップ部と、
上記光ディスクを回転駆動させるスピンドル駆動部と、
上記光ピックアップ部を上記光ディスクの径方向に沿ってトラッキング駆動させるトラッキング駆動部と、
上記光ピックアップ部からの出力信号を信号処理するとともに信号処理部と、
装置全体を制御するコントローラＩＣとを具備する光ディスクドライブ装置であって、
上記光ピックアップ部は、
多層の光ディスクに対応して、それぞれの層に適した位置にコリメタレンズを移動可能なコリメタレンズ部と、
同光ディスクに対応して、それぞれの層に合焦させるように対物レンズを移動可能なフォーカス部とを有し、
コントローラＩＣは、上記信号処理からの出力信号に基づいて、上記光ディスクのＳ字検出を行なうにあたり、
上記多層の光ディスクは、ブルーレイディスクであり、
上記コリメタレンズ部にて、当該光ピックアップ部に適しているＬ０位置とＬ１位置との略中間に上記コリメタレンズを移動させ、
上記フォーカス部にて、上記対物レンズを上記光ディスクから離れた位置から近接する方向に移動させてＳ字検出し、
光ディスクが単層か多層であるかを判別し、Ｓ字の数に応じてＬ０層の位置までフォーカス位置を探すとともに、
上記フォーカスサーチの実行後、上記コリメタレンズ部にて、上記コリメタレンズをＬ０位置に移動させることを特徴とする光ディスクドライブ装置。
【発明の詳細な説明】
【技術分野】
【０００１】
本発明は、多層の光ディスクに対応した光ディスクドライブ装置に関し、特に、光ディスクに対する光ビームを動作位置へまたは動作位置から移動させる手段を有する光ディスクドライブ装置に関する。
【背景技術】
【０００２】
多層の光ディスク、例えばブルーレイディスクに対しては、通常、Ｌ０層にフォーカスしたいのでコリメタレンズをＬ０層に合わせた位置に持ってきて、光ピックアップユニット（ＯＰＵ）で、フォーカスサーチさせている。しかし、フォーカスサーチの前提としてＬ１層のＳ字を検出できないことがある。すなわち、Ｓ字位置を誤検出することがあり、この場合は次のフォーカスサーチに支障がある。
【０００３】
従来、多層の光ディスクを扱う技術として、以下のものが知られている。
特許文献１には、外部振動などの外乱成分があっても正確に層数を検出し、目的の信号層に対してフォーカスクローズすることができる光ピックアップ駆動装置が開示されている。
特に、図１４や、段落０１４５には「カウント数が２なのでＬ１層にフォーカスクローズする場合は上向きにスイープさせればよいことが分かる。つまり、この信号層数のカウント数によって、カウント数が０であれば表面層以下、１であればＬ０層以下、２であればＬ１層以下、３であればＬ１層を超えていると判別できる」旨の記載がある。
【０００４】
また、特許文献２には、２つの記録層がある光ディスクでフォーカスサーボを開始する際、精度よく指定された記録層でフォーカスサーボを開始することができる光ディスク装置が開示されている。
特に、図５，図６や、段落００４２〜００４４には、「球面収差補正の補正量に対するＳ字信号の最大振幅を検出し、Ｓ字信号の最大振幅の極大値２つと、２つの極大値の中間にある極小値とを検出・・・指定した記録層以外の記録層により生じるＳ字信号をカウントした上で指定した記録層により生じるＳ字信号を検出」する旨の記載がある。
【０００５】
特許文献３には、特に多層光ディスクの所望のディスク信号面に対して光ビームを集光して情報信号を記録したり、所望のディスク信号面で反射された反射光からそのディスク信号面に記録されている情報信号を再生する光ディスク装置が開示されている。
特に、図４や、段落００５９〜００６１には、「コリメータレンズ位置をフォーカスサーボする信号層Ｎに最適な位置に移動・・・フォーカスエラー出現数Ｍが目的の信号層の積層順を示すＮと一致すれば、目的の信号層であると判定してフォーカスサーボし（図４のステップＳ１６）、違っていれば次のフォーカスエラーの検出を待（つ）」旨の記載がある。
【０００６】
特許文献４には、単層ディスク、複数層ディスクの目標とする記録層への確実な合焦制御を実現する技術が開示されている。
特に、段落００５８には、「球面収差補正のための液晶素子２３の設定値を、情報記録層Ｌ０，Ｌ１の中間位置に対して調整」、段落００６７〜００６８には「情報記録層Ｌ１へのフォーカス制御を目標としているのであれば、ステップＦ１０７に進み、例えば往路において最初のＳ字検出・・・情報記録層Ｌ０へのフォーカス制御を目標としているのであれば、ステップＦ１０６に進み、例えば往路において最初の２番目のＳ字検出」する旨の記載がある。
【先行技術文献】
【特許文献】
【０００７】
【特許文献１】特開２００９−２０５７８５号公報
【特許文献２】特開２００８−１８６５０５号公報
【特許文献３】特開２００８−４１１８６号公報
【特許文献４】特開２００４−３９１２５号公報
【発明の概要】
【発明が解決しようとする課題】
【０００８】
従来は、フォーカスサーチにあたり、下から上にＳ字検出し、最初に、Ｓ字位置を発見したら、（Ｌ０層とＬ１層）間を超える距離だけ上に上げ、そこから下に向かってフォーカスサーチしていた。
しかし、Ｓ字位置を誤検出することがあり、最初に発見したＳ字位置がＬ１層でなく、Ｌ０層だとすると、上に上がりすぎ、光ディスクに接触する可能性ある。
【０００９】
また、上述した特許文献のいずれにも、最初のＳ字位置検出において、Ｌ０層とＬ１層の両方を正しく検出することができるものがなかった。
本発明は、最初のＳ字位置検出を正確に行ない、続く、フォーカスサーチも正しく行うことを目的とする。
【課題を解決するための手段】
【００１０】
本発明は、光ディスク表面に読出光を収束させ、反射光を受光して光電気変換する受光器を備え、コリメタレンズ駆動とフォーカス駆動とが可能な光ピックアップ部と、上記光ディスクを回転駆動させるスピンドル駆動部と、上記光ピックアップ部を上記光ディスクの径方向に沿ってトラッキング駆動させるトラッキング駆動部と、上記光ピックアップ部からの出力信号を信号処理するとともに信号処理部と、装置全体を制御するコントローラＩＣとを具備する光ディスクドライブ装置であって、上記光ピックアップ部は、多層の光ディスクに対応して、それぞれの層に適した位置にコリメタレンズを移動可能なコリメタレンズ部と、同光ディスクに対応して、それぞれの層に合焦させるように対物レンズを移動可能なフォーカス部とを有し、コントローラＩＣは、上記信号処理からの出力信号に基づいて、上記光ディスクのＳ字検出後、所定位置に上記対物レンズを駆動し、所定方向に同対物レンズを移動させながらフォーカス位置を探すフォーカスサーチを実行するにあたり、上記コリメタレンズ部にて、当該光ピックアップ部に適しているＬ０位置とＬ１位置との間に上記コリメタレンズを移動させ、上記フォーカス部にて、上記対物レンズを上記光ディスクから離れた位置から近接する方向に移動させてＳ字検出する構成としてある。
【００１１】
コリメタレンズは、多層ディスクをアクセスする順番に考慮して本来はＬ０位置にある。しかし、上記構成においては、フォーカスサーチを実行するにあたり、当該光ピックアップ部に適しているＬ０位置とＬ１位置との間にコリメタレンズを移動させる。その後、上記フォーカス部にて、上記対物レンズを上記光ディスクから離れた位置から近接する方向に移動させてＳ字検出する。このとき、最初にＬ１位置でＳ字検出することになるが、上述したようにコリメタレンズがＬ０位置よりもＬ１位置に近い側に位置しているので、Ｌ１層のＳ字位置を見逃すことがなく、続いてＬ０層のＳ字位置も検出しやすくなっている。
【００１２】
また、コリメタレンズの移動位置として、上記コントローラＩＣは、上記フォーカスサーチを実行する際、上記コリメタレンズ部にて、上記コリメタレンズをＬ０位置とＬ１位置との略中間に移動させ、Ｓ字の数を検出して、光ディスクが単層か多層であるかを判別し、Ｓ字の数に応じて光ディスクから離れた位置から近づく方向に同対物レンズを移動させながらＬ０層の位置までフォーカス位置を探す構成としてもよい。
【００１３】
コリメタレンズの性能にもよるが、Ｌ０層とＬ１層のＳ字検出を共に誤らないで実行するために、コリメタレンズをＬ０位置とＬ１位置との略中間に移動させている。対物レンズを移動させていくと、次々にＳ字位置が検出される。単層であれば、一つであるし、多層であれば、二つである。このＳ字の数に応じて、多層か単層かを判別できるので、Ｌ０層のフォーカス位置が定まり、Ｓ字の数に応じて光ディスクから離れた位置から近づく方向に同対物レンズを移動させながらＬ０層の位置までフォーカス位置を探すＳ字の数に応じて光ディスクから離れた位置から近づく方向に同対物レンズを移動させながらＬ０層の位置までフォーカス位置を探す。すなわち、対物レンズは離れたところから近づく方向に移動しながらフォーカスサーチを行うので、光ディスクに衝突することなく、フォーカスサーチできる。
【００１４】
さらに、上記コントローラＩＣは、上記フォーカスサーチの実行後、上記コリメタレンズ部にて、上記コリメタレンズをＬ０位置に移動させる構成としてもよい。
フォーカスサーチ後、最初にアクセスするのはＬ０層であるから、コリメタレンズをＬ０位置に移動させておいて、次のアクセスの際に最適なフォーカシングをできるようにする。
さらに、上記多層の光ディスクは、ブルーレイディスクで構成してもよい。
【００１５】
上記の統合として、光ディスク表面に読出光を収束させ、反射光を受光して光電気変換する受光器を備え、コリメタレンズ駆動とフォーカス駆動とが可能な光ピックアップ部と、上記光ディスクを回転駆動させるスピンドル駆動部と、上記光ピックアップ部を上記光ディスクの径方向に沿ってトラッキング駆動させるトラッキング駆動部と、上記光ピックアップ部からの出力信号を信号処理するとともに信号処理部と、装置全体を制御するコントローラＩＣとを具備する光ディスクドライブ装置であって、上記光ピックアップ部は、多層の光ディスクに対応して、それぞれの層に適した位置にコリメタレンズを移動可能なコリメタレンズ部と、同光ディスクに対応して、それぞれの層に合焦させるように対物レンズを移動可能なフォーカス部とを有し、コントローラＩＣは、上記信号処理からの出力信号に基づいて、上記光ディスクのＳ字検出を行なうにあたり、上記多層の光ディスクは、ブルーレイディスクであり、上記コリメタレンズ部にて、当該光ピックアップ部に適しているＬ０位置とＬ１位置との略中間に上記コリメタレンズを移動させ、上記フォーカス部にて、上記対物レンズを上記光ディスクから離れた位置から近接する方向に移動させてＳ字検出し、光ディスクが単層か多層であるかを判別し、Ｓ字の数に応じてＬ０層の位置までフォーカス位置を探すとともに、上記フォーカスサーチの実行後、上記コリメタレンズ部にて、上記コリメタレンズをＬ０位置に移動させるように構成してもよい。
【発明の効果】
【００１６】
本発明によれば、最初のＳ字検出でＬ１層を見逃すことがなくなるので、その後のフォーカスサーチを正確に行うとともに、光ディスクへのレンズの衝突を未然に防ぐことができる。
【図面の簡単な説明】
【００１７】
【図１】本発明が適用される光ディスクドライブ装置の概略ブロック図である。
【図２】本発明でのフォーカスサーチのフローチャートである。
【図３】変形例にかかるフォーカスサーチのフローチャートである。
【発明を実施するための形態】
【００１８】
以下、図面にもとづいて本発明の実施形態を説明する。
図１は、本発明の一実施形態にかかる光ディスクドライブ装置をブロック図により示している。
同図において、光ピックアップ１１は、図示しない半導体レーザにより光ディスク表面に読出光を収束させ、反射光を受光して光電気変換する受光器１１ａを備えている。また、外部から通電されてレンズを駆動させるフォーカスコイル１１ｂとトラッキングコイル１１ｃとを備えており、これらのフォーカスコイル１１ｂとトラッキングコイル１１ｃによってトラッキングサーボ駆動とフォーカスサーボ駆動とが可能となっている。この受光器１１ａは反射光の受光領域に対応していわゆるＡ信号〜Ｄ信号を出力する。
【００１９】
一方、本光ディスクドライブ装置は、多層の光ディスクであるブルーレイディスクも対応可能とするため、ブルーレイ用のレーザー光の経路に図示しないコリメタレンズを保持して移動できるようにしてある。この移動のためにステッピングモータ１１ｄ１とその駆動回路であるドライバ１１ｄ２を備えており、コリメタレンズを移動可能（コリメタレンズ駆動）に保持する機構および上記ステッピングモータ１１ｄ１とドライバ１１ｄ２を含めてコリメタ部１１ｄと構成している。このコリメタ部１１ｄがコリメタレンズ部に相当する。
【００２０】
また、読出光の収束は主に対物レンズ１１ｅに委ねており、この対物レンズ１１ｅは後述するようにして所定範囲で移動可能であり、光ディスクの各層上にフォーカシングできるようになっている。なお、以上のような構成からなる光ピックアップ１１が光ピックアップ部を構成している。
信号処理回路１２は、上記受光器１１ａからの出力信号であるＡ信号〜Ｄ信号を受信して信号処理し、フォーカスエラー信号ＦＥと、トラッキングエラー信号ＴＥと、ＲＦ信号を出力する。なお、信号処理回路１２は信号処理部に相当する。
【００２１】
フォーカスサーボ回路１３は、上記フォーカスエラー信号ＦＥを入力しており、光ピックアップ１１のフォーカスコイル１１ｂに通電する駆動信号を出力し、フォーカスサーボ駆動を実施させる。また、トラッキングサーボ回路１４は、上記トラッキングエラー信号ＴＥを入力しており、光ピックアップ１１のトラッキングコイル１１ｃに通電する駆動信号を出力し、上記光ピックアップ１１でトラッキングサーボ駆動を実施させる。
【００２２】
より具体的には、フォーカスエラー信号ＦＥがフォーカスのずれを反映させた極性を有するエラー信号であることから、これを増幅してフォーカスコイル１１ｂに通電させることで極性を有する磁界を発生させ、同磁界にて上記フォーカスのずれを打ち消すように光ピックアップ１１内の対物レンズ１１ｅなどの稼働子を駆動する。
また、このようなサーボ動作に加え、フォーカスサーボ回路１３は多層の光ディスクにおける各層上にフォーカシングするため、対物レンズ１１ｅを所定範囲で移動できる。このように移動してフォーカス位置を探すことをフォーカスサーチと呼び、この移動自体をフォーカス駆動と呼ぶ。また、かかるフォーカスサーチを実現する構成がフォーカス部に相当する。
【００２３】
一方、トラッキングエラー信号ＴＥがトラッキングのずれを反映させた極性を有するエラー信号であることから、これを増幅してトラッキングコイル１１ｃに通電させることで極性を有する磁界を発生させ、同磁界にて上記トラッキングのずれを打ち消すように光ピックアップ１１内の対物レンズ１１ｅなどの稼働子を駆動する。
ＲＦ信号はピットデータを表し、データ処理回路１５は同ＲＦ信号に基づいてデータ処理を行う。このＲＦ信号はまた光ディスクの表面欠陥の検出にも利用可能であり、傷検出回路１６は同ＲＦ信号から表面欠陥を検出すると傷信号を出力し、この傷信号によって上記フォーカスサーボ回路１３と上記トラッキングサーボ回路１４でのサーボ制御を停止させる。より具体的には、傷信号によってフォーカスサーボ回路１３とトラッキングサーボ回路１４の出力経路に介在したスイッチを開き、サーボ信号がフォーカスコイル１１ｂとトラッキングコイル１１ｃに入力されないようにする。
【００２４】
光ディスクは、スピンドルに支持されて回転駆動されるが、スピンドルモータ１７はこのスピンドルを回転駆動させる駆動源である。そして、スピンドル回路１８はＲＦ信号に基づいてスピンドルモータ１７の回転駆動を制御する。すなわち、回転速度に対応した所定の周波数成分が得られるようにスピンドルモータ１７の回転速度を制御している。なお、スピンドルモータ１７にて光ディスクを駆動させる構成がスピンドル駆動部に相当する。
【００２５】
また、上記光ピックアップ１１をトラッキングスクリュー１９ａを介して駆動するトラッキング用ステッピングモータ１９と、上記トラッキング用ステッピングモータ１９の駆動信号を出力するトラッキング用ステッピングモータ駆動回路２１を有しており、トラッキング用ステッピングモータ１９が回転すると、トラッキングスクリュー１９ａも回転し、このトラッキングスクリュー１９ａに螺合している光ピックアップ１１は光ディスクの径方向に沿って直線移動する。なお、トラッキング用ステッピングモータ駆動回路２１を介してトラッキング用ステッピングモータ１９によって光ピックアップ１１を駆動させる構成がトラッキング駆動部に相当する。
【００２６】
最後に、本装置全体を制御するコントローラＩＣ２２が備えられており、スピンドルモータ１７にてスピンドルを介して光ディスクを回転させ、トラッキング用ステッピングモータ駆動回路２１にて光ピックアップ１１を所定位置に移動させ、トラッキングサーボとフォーカスサーボを実施させながら、光ピックアップ１１で光ディスクを読み出し、読み出し結果としてのＲＦ信号を出力させるように制御する。
【００２７】
また、このような読み出しを行う前提として、光ディスクの各層上にフォーカシングすることが必要である。このため、コントローラＩＣ２２は、上記フォーカスサーボ回路１３を制御して対物レンズ１１ｅを所定範囲で移動させたり、最適な読み出しを実施するためにドライバ１１ｄ２を制御してステッピングモータ１１ｄ１でコリメタレンズの位置を移動させたりする。
【００２８】
次に上記構成からなる光ディスクドライブ装置の動作を説明する。
図２は読み出し開始にあたって行うフォーカスサーチをフローチャートにより示している。
図において、ステップ１１では、信号レベルからブルーレイディスク（ＢＤ）か否かを判別する。当初、光ディスクがブルーレイディスクであるか否かを判定するため、読出光を光ディスクに照射し、その反射光の強さに基づいて判別する。
【００２９】
ブルーレイディスクであると判別された場合、ステップ１２では、コリメタレンズ位置をＬ０設定とＬ１設定の中間値（略中間）に設定する。各光ピックアップ１１には、Ｌ０層にフォーカシングするための最適位置としてのＬ０設定と、Ｌ１層にフォーカシングするための最適位置としてのＬ１設定とが予め定められている。これらの設定に対応する値に基づいてドライバ１１ｄ２によりステッピングモータ１１ｄ１を回転駆動させ、コリメタレンズ位置をＬ０層に適した位置（Ｌ０設定）かＬ１層に適した位置（Ｌ１設定）に移動できる。通常は、最初にＬ０層へアクセスすることを前提として、Ｌ０層に適した位置に移動させている。しかし、本発明においては、フォーカスサーチの前処理として行うＳ字検出にあたり、コリメタレンズ位置をＬ０設定とＬ１設定の中間値に設定している。中間値とすることにより、Ｌ０層とＬ１層のいずれにも最適ではないものの、両者から大きくはずれないことによって両方のＳ字検出は失敗しないようにすることができる。
【００３０】
特に、層間反射率が大きいディスクの場合、Ｓ字数を誤検出してしまうおそれがあるので、このようにコリメタレンズ位置をＬ０設定値とＬ１設定値の中間値に設定し、フォーカスサーチを行う。
そして、ステップ１３では、Ｓ字数検出用のフォーカスサーチ（レンズ駆動をさすが、ここでは本来のフォーカスサーチの前処理としてＳ字位置を検出するものであり、Ｓ字検出の一部である）を実施する。Ｓ字検出はフォーカスコイル１１ｂへの通電を制御することにより、対物レンズ１１ｅを光ディスクから離れた位置から近接させるか、近い位置から遠ざけることにより、フォーカスエラー信号ＦＥの出力変動を監視して行う。対物レンズ１１ｅを移動させていくと、フォーカスが合う位置の手前から大きく変動し、Ｓ字のカーブを描く。このときの傾き値が最大のあたり、すなわち、フォーカス信号ＦＥの極性が転換する位置をＳ字位置とする。
【００３１】
ステップ１４では以上の結果得られたＳ字の位置の数が２つか否かを判断する。多層の光ディスクであれば２つであるし、単層の光ディスクであれば１つである。そして、多層と判別されたらステップ１５で下から上に向けて対物レンズ１１ｅを移動させていき、ステップ１６に示すように２つ目のＳ字の中心にフォーカスオン（合焦）させるフォーカスサーチを行う。上述したように、Ｓ字を誤検出せず、確実に、Ｌ１層とＬ０層の順でＳ字の位置を検出できる。この意味で、対物レンズ１１ｅを下から上に向けて移動させていく過程で、一つ目のＳ字位置はＬ１層であるから、これを飛ばして、二つ目のＳ字位置であるＬ０層の位置にフォーカスオンさせる。なお、対物レンズ１１ｅは光ディスクの下に位置することを前提として、下から上に向けて動かす。言い換えると離れた位置から近接する方向への移動である。
【００３２】
このようにすると、対物レンズ１１ｅは本来のＬ０層に適した位置よりも上に移動しない。従って、光ディスクに衝突をすることも防止できる。なお、本実施例では、レンズに衝突しないようにすることを目的としているので、下から上への移動としている。しかし、コリメタレンズ位置を上述した中間に設定する思想はＳ字位置を正確に検出することであるから、移動方向は上から下に移動するものであってもよい。
【００３３】
フォーカスできた後は、ステップ１７にてコリメタレンズ位置をＬ０設定に変更する。すなわち、Ｓ字検出前にＬ０設定とＬ１設定の中間値に設定していたものをＬ０設定に戻すことでドライバ１１ｄ２を介してステッピングモータ１１ｄ１を駆動させ、コリメタレンズをＬ０層に最適な位置まで駆動する。
一方、Ｓ字の数に基づいて単層であると判断できれば、ステップ１８にてコリメタレンズ位置をＬ０設定に変更する。単層であればＬ１層はないから、コリメタレンズ位置はＬ０設定で構わない。そして、ステップ１９で下から上に向けて対物レンズ１１ｅを移動させていき、ステップ２０に示すように１つ目のＳ字の中心にフォーカスオンさせる。
【００３４】
また、ステップ１１にてそもそもブルーレイディスクでないと判別されたときには、ＤＶＤかＣＤであって、Ｌ０層はＬ１層の下にあるから、ステップ２１にて下から上に対物レンズ１１ｅを駆動させ、１つ目のＳ字の中心にフォーカスオンさせる。
以上がこれまでのフォーカスサーチに準じた手順で本発明を適用させたものがある。しかし、よりアクセス数を減らして高速化する変形例を以下に説明する。
【００３５】
図３は、変形例にかかるフォーカスサーチのフローチャートである。
ステップ３１にてコリメタレンズ位置をＬ０設定とＬ１設定の中間値に設定しておき、ステップ３２ではブルーレイディスク用のＳ字検出を行なう。上述したように、コリメタレンズ位置をＬ０設定とＬ１設定の中間値に設定しておくことで、Ｓ字位置を誤検出せず、単層であっても多層であってもそれぞれ正しくＳ字を検出できる。また、ステップ３３ではＤＶＤ用のＳ字検出を行う。この処理はこれまでの処理と何ら変わらない。そして、ステップ３４にてそれぞれの場合の信号レベルを比較し、ステップ３５にてブルーレイディスクであるか否かを判別する。
【００３６】
先のステップ１１で、信号レベルからブルーレイディスクであるか否かを判別するための前処理では、ブルーレイディスク用のＳ字検出とＤＶＤ用のＳ字検出を行っており、そのときの信号レベルを監視している。この際、コリメタレンズはＬ０位置にある。従って、ここではＳ字誤検出が生じている可能性があるが、信号レベルの検出が主であるため、誤検出していたとしてもさほど問題はなかった。
【００３７】
しかし、本実施例では、ステップ３１でコリメタレンズ位置をＬ０設定とＬ１設定の中間値に設定することで、正しくＳ字検出を行える。そして、ステップ３５でブルーレイディスクであると判別されたときは、ステップ３２で検出されたＳ字数に基づき、ステップ３６にてＳ字数が２であるか否かの判断を経てステップ３７以下の多層用の処理を行うか、ステップ４０以下の単層用の処理を行うかを決定する。なお、これらの処理と、ステップ４３の処理については図２に示す処理と同等であるので説明は省略する。
【００３８】
このようにすると、図２に示す例ではフォーカスサーチの前に行うＳ字検出が実質的に二回であるのに比べ、図３に示す例では最初のＳ字検出一回だけで済むので、高速化が期待できる。
このように、ステップ１２（ステップ３１）でコリメタレンズ位置をＬ０設定とＬ１設定の中間値に設定することで、ドライバ１１ｄ２によりステッピングモータ１１ｄ１を回転駆動させ、コリメタレンズ位置をＬ０設定とＬ１設定の中間に移動させると、Ｌ０層とＬ１層のいずれにも最適ではないものの、両者から大きくはずれないことによって両方のＳ字検出は失敗しないので、ステップ１３（ステップ３２）でＳ字数検出を実施すると、正確にＳ字位置を検出することができるようになる。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４０】
１１…光ピックアップ、１１ａ…受光器、１１ｂ…フォーカスコイル、１１ｃ…トラッキングコイル、１１ｄ…コリメタ部、１１ｄ１…ステッピングモータ、１１ｄ２…ドライバ、１１ｅ…対物レンズ、１２…信号処理回路、１３…フォーカスサーボ回路、１４…トラッキングサーボ回路、１５…データ処理回路、１６…傷検出回路、１７…スピンドルモータ、１８…スピンドル回路、１９…トラッキング用ステッピングモータ、１９ａ…トラッキングスクリュー、２１…トラッキング用ステッピングモータ駆動回路、２２…コントローラＩＣ。
【図１】
2011154755.tif 000003
【図２】
2011154755.tif 000004
【図３】
2011154755.tif 000005